(57)【要約】【課題】外装パネルに対して強固に固定できるようにする。【解決手段】取付口３２ａから挿入される筒状部４１と、筒状部４１の外周面に形成され、筒状部４１が取付口３２ａに挿入された際に外装パネル３２の内面に係止される固定爪４２及び可動爪と、筒状部４１の開放端に形成された鍔部４５とを備える。鍔部４５は、筒状部４１が取付口３２ａに挿入された際に外装パネル３２の外面に当接する当接面４６ａを有している。取付口３２ａに取り付けられる前の状態において、鍔部４５の当接面４６ａが、筒状部４１が取付口３２ａに挿入された際に固定爪４２及び可動爪によって係止される外装パネル３２の外面の位置に対して固定爪４２及び可動爪側に配置されている。【選択図】図６
2011158150.tif 000002
【特許請求の範囲】
【請求項１】
外装パネルに形成された取付口に取り付けられる運搬用取手であって、
前記取付口から挿入される筒状部と、
前記筒状部の外周面に形成され、前記筒状部が前記取付口に挿入された際に前記外装パネルの内面に係止される係止部と、
前記筒状部の外周面において前記係止部から離れた位置から前記筒状部の外周面と交差する方向に延在した鍔部とを備え、
前記鍔部は、前記筒状部が前記取付口に挿入された際に前記外装パネルの外面に当接する当接部を有しており、
前記取付口に取り付けられる前の状態において、
前記当接部は、前記筒状部が前記取付口に挿入された際に前記係止部によって係止される前記外装パネルの外面に対応した面に対して前記係止部側に配置されることを特徴とする運搬用取手。
【請求項２】
前記筒状部の奥側の端部は、閉塞された閉塞端として構成されていることを特徴とする請求項１に記載の運搬用取手。
【請求項３】
前記当接部は、前記鍔部の先端に配置されていることを特徴とする請求項１または２に記載の運搬用取手。
【請求項４】
前記鍔部及び前記当接部は、前記筒状部の全周にわたって設けられていることを特徴とする請求項１〜３のいずれか１項に記載の運搬用取手。
【請求項５】
前記係止部は、前記筒状部の外周面のうち前記筒状部内の空洞を挟んで両側に位置する外周面に設けられた一対の係止部を含んでいることを特徴とする請求項１〜４のいずれか１項に記載の運搬用取手。
【発明の詳細な説明】
【技術分野】
【０００１】
本発明は、外装パネルに形成された取付口に取り付けられる運搬用取手に関するものである。
【背景技術】
【０００２】
例えば、空気調和機の室外機や、給湯機のヒートポンプユニット及び貯湯タンクユニットとして、図９に示すような運搬用取手１０４を有するものが知られている（例えば、特許文献１）。かかる運搬用取手１０４は、外装パネル１３２に形成された取付口１３２ａに取り付けられるものであり、取付口１３２ａから挿入される筒状部１４１と、筒状部１４１の外周面から延在した鍔部１４５とを有している。運搬用取手１０４が取付口１３２ａに取り付けられた際には、鍔部１４５は外装パネル１３２の外面と接触する。
【０００３】
特許文献１に開示されている運搬用取手２０４には、図１０に示すように、取付口２３２ａからの抜け落ちを防ぐための爪２４２が筒状部２４１の外周面に形成されている。爪２４２と鍔部２４５との間の幅Ｄ１０のすきまに、厚みＤ２０の外装パネル２３２に形成された取付口２３２ａの縁部が嵌まり込むようになっている。
【先行技術文献】
【特許文献】
【０００４】
【特許文献１】特開２００５−１１４２４５号公報
【発明の概要】
【発明が解決しようとする課題】
【０００５】
特許文献１に開示されているような運搬用取手２０４では、爪２４２と鍔部２４５との間のすきまの幅Ｄ１０は、製造誤差を考慮して、外装パネル２３２の厚みＤ２０よりも大きくなっていることが多い。この場合には、運搬用取手２０４の外装パネル２３２に対する固定が甘くなり、がたつき等の不具合の原因となる。
【０００６】
そこで、本発明は、上記のような課題を解決するためになされたものであり、外装パネルに対して強固に固定することができる運搬用取手を提供することを目的とする。
【課題を解決するための手段】
【０００７】
第１の発明にかかる運搬用取手は、外装パネルに形成された取付口に取り付けられる運搬用取手であって、前記取付口から挿入される筒状部と、前記筒状部の外周面に形成され、前記筒状部が前記取付口に挿入された際に前記外装パネルの内面に係止される係止部と、前記筒状部の外周面において前記係止部から離れた位置から前記筒状部の外周面と交差する方向に延在した鍔部とを備え、前記鍔部は、前記筒状部が前記取付口に挿入された際に前記外装パネルの外面に当接する当接部を有しており、前記取付口に取り付けられる前の状態において、前記当接部は、前記筒状部が前記取付口に挿入された際に前記係止部によって係止される前記外装パネルの外面に対応した面に対して前記係止部側に配置される。
【０００８】
この運搬用取手では、鍔部の当接部は、取付口に取り付けられる前の状態において、筒状部が取付口に挿入された際に係止部によって係止される外装パネルの外面に対応した面に対して係止部側に配置されている。したがって、運搬用取手が取付口に取り付けられた状態においては、鍔部の当接部は、外装パネルの外面に押し付けられる。すなわち、取付口に取り付けられた際に、鍔部の当接部が外装パネルの外面に密着する。したがって、運搬用取手を外装パネルに対して強固に固定できる。また、鍔部の当接部が外装パネルに密着している部分においては、外装パネルの外面と鍔部との間から水が侵入するのを防止できる。
【０００９】
第２の発明にかかる運搬用取手では、第１の発明にかかる運搬用取手において、前記筒状部の奥側の端部は、閉塞された閉塞端として構成されている。
【００１０】
この運搬用取手では、筒状部の奥側の端部が閉塞された閉塞端であることから、筒状部の内側から水が侵入するのを防止できる。
【００１１】
第３の発明にかかる運搬用取手では、第１または第２の発明にかかる運搬用取手において、前記当接部は、前記鍔部の先端に配置されている。
【００１２】
この運搬用取手では、取付口に取り付けられた状態にける外装パネルへの押し付け力が最も大きくなる位置に当接部が配置されている。したがって、運搬用取手を外装パネルに対してより強固に固定できる。
【００１３】
第４の発明にかかる運搬用取手では、第１〜第３のいずれかの発明にかかる運搬用取手において、前記鍔部及び前記当接部は、前記筒状部の全周にわたって設けられている。
【００１４】
この運搬用取手では、取付口に取り付けられた状態において、当接部が筒状部の全周にわたって外装パネルに押し付けられる。したがって、運搬用取手を外装パネルに対してより強固に固定できる。また、外装パネルの外面と鍔部とが筒状部の全周にわたって密着するので、外装パネルの外面と鍔部との間から水が侵入するのを効果的に防止できる。
【００１５】
第５の発明にかかる運搬用取手は、第１〜第４のいずれかの発明にかかる運搬用取手において、前記係止部は、前記筒状部の外周面のうち前記筒状部内の空洞を挟んで両側に位置する外周面に設けられた一対の係止部を含んでいる。
【００１６】
この運搬用取手では、外装パネルに対して安定した状態で固定できる。
【発明の効果】
【００１７】
以上の説明に述べたように、本発明によれば、以下の効果が得られる。
【００１８】
第１の発明では、鍔部の当接部は、取付口に取り付けられる前の状態において、筒状部が取付口に挿入された際に係止部によって係止される外装パネルの外面に対応した面に対して係止部側に配置されている。したがって、運搬用取手が取付口に取り付けられた状態においては、鍔部の当接部は、外装パネルの外面に押し付けられる。すなわち、取付口に取り付けられた際に、鍔部の当接部が外装パネルの外面に密着する。したがって、運搬用取手を外装パネルに対して強固に固定できる。また、鍔部の当接部が外装パネルに密着している部分においては、外装パネルの外面と鍔部との間から水が侵入するのを防止できる。
【００１９】
第２の発明では、筒状部の奥側の端部が閉塞された閉塞端であることから、筒状部の内側から水が侵入するのを防止できる。
【００２０】
第３の発明では、取付口に取付られた状態にける外装パネルへの押し付け力が最も大きくなる位置に当接部が配置されている。したがって、運搬用取手を外装パネルに対してより強固に固定できる。
【００２１】
第４の発明では、取付口に取り付けられた状態において、当接部が筒状部の全周にわたって外装パネルに押し付けられる。したがって、運搬用取手を外装パネルに対してより強固に固定できる。また、外装パネルの外面と鍔部とが筒状部の全周にわたって密着するので、外装パネルの外面と鍔部との間から水が侵入するのを効果的に防止できる。
【００２２】
第５の発明では、外装パネルに対して安定した状態で固定できる。
【図面の簡単な説明】
【００２３】
【図１】本発明の実施形態にかかる運搬用取手が設けられた貯湯タンクユニットを備えたヒートポンプ式給湯機を示す図である。
【図２】図１の運搬用取手を示す図であり、（ａ）は外装パネルに固定された姿勢での上面図、（ｂ）は外装パネルに固定された姿勢での正面図、（ｃ）は外装パネルに固定された姿勢での下面図、（ｄ）は外装パネルに固定された姿勢での側面図である。
【図３】図２（ａ）の運搬用取手のIII-III線に沿う断面図である。
【図４】図３の運搬用取手を外装パネルに形成された取付口に取り付けた状態を示す図である。
【図５】図４の運搬用取手の拡大図であり、（ａ）は固定爪近傍の拡大図、（ｂ）は可動爪近傍の拡大図である。
【図６】（ａ）は図３に示す固定爪近傍の拡大図であり、（ｂ）は（ａ）の当接部近傍の拡大図である。
【図７】（ａ）は図３に示す可動爪が係止位置にある状態の可動爪近傍の拡大図であり、（ｂ）は（ａ）の当接部近傍の拡大図である。
【図８】図３の運搬用取手を外装パネルに形成された取付口へ取り付ける際の手順を示す図であり、（ａ）は取り付け前の状態、（ｂ）は固定爪のみを外装パネルに係合させた状態、（ｃ）は取り付けた状態を示す。
【図９】一般的な運搬用取手を示す斜視図である。
【図１０】従来の運搬用取手を示す図であり、（ａ）は外装パネルの取付口に取り付ける前の状態、（ｂ）は外装パネルの取付口に取り付けた状態を示す。
【発明を実施するための形態】
【００２４】
以下、本発明にかかる運搬用取手の一実施形態について、図面を参照しつつ説明する。
【００２５】
本実施形態の運搬用取手４は、図１に示すように、ヒートポンプ式給湯機１に備えられた貯湯タンクユニット３に適用されるものである。貯湯タンクユニット３は、水を貯える貯湯タンク３１と、貯湯タンク３１を覆う外装パネル３２とを備えている。運搬用取手４は、貯湯タンクユニット３の側壁（鉛直方向に立設された壁）を構成する外装パネル３２に固定されている。また、貯湯タンクユニット３は、送出管５ａ及び返還管５ｂを介してヒートポンプユニット２に接続されている。
【００２６】
ヒートポンプ式給湯機１においては、貯湯タンク３１内の水は、送出管５ａを介してヒートポンプユニット２に送られる。ヒートポンプユニット２では、外気から吸収した熱エネルギーを空気熱交換器により冷媒に吸収させると共に冷媒を圧縮することにより冷媒の温度を高め、その高温の冷媒により貯湯タンク３１から送れられてきた水を加熱する。そして、ヒートポンプユニット２で加熱された水は、返還管５ｂを介して貯湯タンク３１内に戻る。ヒートポンプ式給湯機１、このようにして貯湯タンク３１内の水を沸き上げる。
【００２７】
ここで、図２〜図７を参照しつつ、運搬用取手４についてより詳細に説明する。なお、以下の説明において断りがない限りは、運搬用取手４が外装パネル３２に固定された姿勢をとっているものとする。運搬用取手４は、樹脂等の可撓性を有する材料で形成されており、一端（図２（ｄ）における右側端）が閉じた筒状の部材である筒状部４１と、筒状部４１の開放されている側の端部（図２（ｄ）における左側端部）における外周面からその外周面と交差する方向に延在した鍔部４５とで主に構成されている。なお、以降の説明において、筒状部４１の奥側に配置された閉じた側の端を「閉塞端」、開放された側の端を「開放端」と称する。
【００２８】
筒状部４１は、開放端よりも閉塞端の方が上方に位置するように斜めに設けられている。筒状部４１の閉塞端から開放端に向かう方向と直交する面での断面は、水平方向に長い略長方形形状を有している。そして、筒状部４１の外周面は、いずれも開放端側よりも閉塞端側の方が上方に位置するように傾斜しており且つ筒状部４１内の空洞を挟んで両側に位置する上面４１ａ及び下面４１ｂと、上面４１ａ及び下面４１ｂを連結する側面４１ｃとで構成されている。図４に示すように、筒状部４１は、閉塞端側が奥となるように、外装パネル３２に形成された取付口３２ａを介して貯湯タンクユニット３の外側から内側へと挿入される。
【００２９】
鍔部４５は、筒状部４１の開放端から鉛直方向に延在している。すなわち、筒状部４１の上面４１ａと鍔部４５とのなす角は鋭角であり、下面４１ｂと鍔部４５とのなす角は鈍角である。また、鍔部４５は、筒状部４１の全周にわたって設けられており、図２（ｂ）に示すように、その先端部の輪郭は水平方向に長い略長方形形状を有している。図３に示すように、鍔部４５の先端部には、鍔部４５の全周にわたって筒状部４１側（図中右方）に屈曲した当接部４６が形成されている。すなわち、鍔部４５の筒状部４１側の面では、当接部４６が形成された部分がその他の部分よりも筒状部４１側に突出している。この当接部４６の筒状部４１側の面は、図４に示すように、筒状部４１が取付口３２ａに挿入された際に外装パネル３２の外面に当接する当接面４６ａとなる。
【００３０】
図２（ａ）、（ｄ）に示すように、筒状部４１の上面４１ａには、２つの固定爪４２が形成されている。これら２つの固定爪４２は、上面４１ａにおける鍔部４５から若干離れた位置に配置されている。また、２つの固定爪４２は、運搬用取手４の取付口３２ａへの取付方向（図２（ａ）中上下方向；以降単に「取付方向」と称する）と平行であり且つ運搬用取手４の幅方向（図２（ａ）中左右方向；以降単に「幅方向」と称する）の中央を通る線（図２（ａ）において一点鎖線で示す線）に対して対称に配置されている。固定爪４２は、上面４１ａから突出するように形成されており、その上面は開放端側よりも閉塞端側の方が上方に位置するように傾斜している。図４、図５（ａ）に示すように、固定爪４２は、筒状部４１が取付口３２ａに挿入された際に外装パネル３２の内面に係止される。
【００３１】
図２（ｃ）、（ｄ）に示すように、筒状部４１の下面４１ｂには、２つの可動爪４３が形成されている。これら２つの可動爪４３は、下面４１ｂにおける鍔部４５から若干離れた位置に配置されている。また、２つの可動爪４３は、取付方向と平行であり且つ幅方向の中央を通る線（図２（ｃ）において一点鎖線で示す線）に対して対称に配置されている。さらに、２つの可動爪４３間の長さＬ２は、２つの固定爪４２間の長さＬ１よりも長い。
【００３２】
可動爪４３は、図３に示すように、その閉塞端側の端部（図中右側端部）が下面４１ｂから突出して設けられた台座部４４に接続されている。そして、可動爪４３は、台座部４４に接続された部分を支点として回動し、その開放端側の端部（図中左側端部）は、筒状部４１に近づく方向及び筒状部４１から離れる方向に移動可能である。可動爪４３の下面は、運搬用取手４が外装パネル３２に固定される前の状態では、開放端側よりも閉塞端側の方が上方に位置するように傾斜している。また、可動爪４３の下面における開放端側の端部近傍には、段差部４３ａが形成されている。
【００３３】
可動爪４３の開放端側の端部は、筒状部４１が取付口３２ａに挿入された際において取付口３２ａを通過するときに、取付口３２ａの下縁によって押されて上方に移動する。そして、可動爪４３の開放端側の端部は、可動爪４３の下面における段差部４３ａが形成された部分よりも閉塞端側（図５（ｂ）中右端側）の部分が、取付口３２ａの下縁と接触している際に、最も筒状部４１に近づく最近接位置（図５（ｂ）において破線で示す位置）まで移動する。そして、可動爪４３の開放端側の端部は、取付口３２ａの下縁が段差部４３ａを乗り越えると、下方に移動して最近接位置よりも筒状部４１から若干離れた係止位置（図５（ｂ）において実線で示す位置）に移動する。このとき、可動爪４３は、外装パネル３２の内面に係止される。
【００３４】
図６に示すように、運搬用取手４が取付口３２ａに取り付けられる前の状態では、鍔部４５の当接面４６ａは、筒状部４１が取付口３２ａに挿入された際に固定爪４２によって係止される外装パネル３２（図中破線で示す）の外面の位置に対して固定爪４２側（図中右方）に配置されている。同様に、図７に示すように、運搬用取手４が取付口３２ａに取り付けられる前の状態では、鍔部４５の当接面４６ａは、可動爪４３によって係止される外装パネル３２（図中破線で示す）の外面の位置に対して可動爪４３側（図中右方）に配置されている。したがって、図５に示すように、運搬用取手４が取付口３２ａに取り付けられた際には、鍔部４５の当接部４６は、外装パネル３２の外面によって図中左方に押し返された状態となる。
【００３５】
なお、本実施の形態においては、外装パネル３２の厚みＤ２は０．５ｍｍであり、運搬用取手４が取付口３２ａに取り付けられる前の状態において、外装パネル３２の外面の位置と当接面４６ａとの間の長さＤ１は０．３ｍｍである。すなわち、鍔部４５の当接面４６ａと、外装パネル３２の内面の位置（固定爪４２及び可動爪４３が外装パネル３２に係止される面を含む面の位置）との間のすきまの幅はいずれも０．２ｍｍである。よって、運搬用取手４が取付口３２ａに取り付けられた際には、鍔部４５の当接部４６は、外装パネル３２の外面によって０．３ｍｍだけ押し返された状態となる。このように、外装パネル３２の厚みＤ２が、鍔部４５の当接面４６ａと、外装パネル３２の内面の位置との間のすきまの幅より大きい場合には、外装パネル３２の厚みにかかわらず、運搬用取手４が取付口３２ａに取り付けられた際には、鍔部４５の当接部４６は、外装パネル３２の外面によって押し返された状態となる。
【００３６】
次に、図８を参照しつつ、運搬用取手４を取付口３２ａに取り付ける際の手順について説明する。まず、図８（ａ）に示すように、筒状部４１を閉塞端側から取付口３２ａに挿入する。この挿入作業は、鍔部４５の下端よりも上端の方が外装パネル３２に近くなるように傾けた状態で行われる。そして、図８（ｂ）に示すように、固定爪４２を外装パネル３２の内面に係止させる。その後、固定爪４２を中心にして運搬用取手４を図８（ｂ）中反時計回りに回転させる。このとき、可動爪４３の下面は、閉塞端側から開放端側に向かって取付口３２ａの下縁上を摺動する。また、このとき可動爪４３は、取付口３２ａの下縁によって上方に押されて最近接位置まで移動する。
【００３７】
そして、取付口３２ａの下縁が段差部４３ａを乗り越えると可動爪４３が係止位置に移動し、図８（ｃ）に示すように、可動爪４３が外装パネル３２の内面に係止される。このとき、鍔部４５の当接部４６は、全周にわたって外装パネル３２に押し付けられる。これにより、運搬用取手４が外装パネル３２に固定される。
【００３８】
以上のように、本実施形態の運搬用取手４では、取付口３２ａに取り付けられる前の状態において、鍔部４５の当接部４６における当接面４６ａが、筒状部４１が取付口３２ａに挿入された際に固定爪４２及び可動爪４３によって係止される外装パネル３２の外面の位置に対して固定爪４２及び可動爪４３側に配置されている。したがって、当接部４６は、運搬用取手４が取付口３２ａに取り付けられた状態においては、外装パネル３２の外面に押し付けられる。すなわち、運搬用取手４が取付口３２ａに取り付けられた際に、鍔部４５の当接部４６が外装パネル３２の外面に密着する。よって、外装パネル３２に対して強固に固定できる。また、鍔部４５の当接部４６が外装パネル３２に密着している部分においては、外装パネル３２の外面と鍔部４５との間から貯湯タンクユニット３内に水が侵入するのを防止できる。その結果、例えば、貯湯タンク３１内の湯水の温度を検知するために貯湯タンク３１の側面に設けられたセンサ（図示せず）等、貯湯タンクユニット３内に配置された電気機器等が濡れて故障するのを抑制することができる。
【００３９】
また、本実施形態の運搬用取手４では、筒状部４１の奥側の端部が閉塞された閉塞端であることから、筒状部４１の内側から貯湯タンクユニット３内に水が侵入するのを防止できる。
【００４０】
また、本実施形態の運搬用取手４では、当接部４６は、鍔部４５の先端に配置されている。つまり、取付口３２ａに取り付けられた状態にける外装パネル３２への押し付け力が最も大きくなる位置に当接部４６が配置されている。よって、外装パネル３２に対してより強固に固定できる。
【００４１】
さらに、本実施形態の運搬用取手４では、鍔部４５及び当接部４６が、筒状部４１の全周にわたって設けられている。したがって、取付口３２ａに取り付けられた状態において、当接部４６が筒状部４１の全周にわたって外装パネル３２に押し付けられる。よって、外装パネル３２に対してより強固に固定できる。また、外装パネル３２の外面と鍔部４５とが筒状部４１の全周にわたって密着するので、外装パネル３２の外面と鍔部４５との間から水が侵入するのを効果的に防止できる。
【００４２】
また、本実施形態の運搬用取手４では、筒状部４１の上面４１ａに固定爪４２が設けられており、筒状部４１内の空洞を挟んで上面４１ａとは反対側に位置する下面４１ｂに可動爪４３が設けられている。したがって、外装パネルに対して安定した状態で固定できる。
【００４３】
さらに、本実施形態の運搬用取手４では、可動爪４３は、筒状部４１が取付口３２ａに挿入された際において取付口３２ａを通過するときに、取付口３２ａの下縁によって押されて上方に移動し、取付口３２ａの下縁が段差部４３ａを乗り越えると下方に移動する。したがって、運搬用取手４を取付口３２ａに取り付ける際に、係止用の爪によって取付口３２ａの縁が押圧されて破損するのを防ぐことができる。
【００４４】
また、本実施形態の運搬用取手４では、筒状部４１は、鍔部４５に対して斜めに設けられていると共に、その外周面における上面４１ａと鍔部４５とのなす角は鋭角であり、下面４１ｂと鍔部４５とのなす角は鈍角である。そして、上面４１ａに固定爪４２が設けられており、下面４１ｂに可動爪４３が設けられている。したがって、筒状部４１を取付口３２ａから挿入し、固定爪４２を外装パネル３２の内面に係止した後で、可動爪４３を外装パネル３２の内面に係止させるように固定爪４２を中心に回転させることで、運搬用取手４の取付口３２ａへの取り付けを容易に行うことができる。
【００４５】
以上、本発明の一実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００４６】
また、上述の実施形態では、筒状部４１の奥側に配置された端部が閉じられた閉塞端として構成されている場合について説明したが、これには限られない。筒状部４１の奥側に配置された端部が開放された開放端として構成されてもよい。したがって、上述の実施形態の筒状部４１の閉塞端の一部に開口が形成され、閉塞端の一部が開放されていてもよい。
【００４７】
例えば、上述の実施形態では、当接部４６が鍔部４５の先端に配置されている場合について説明したが、当接部４６は、鍔部４５の先端以外の部分（例えば、鍔部４５の先端より筒状部４１の外周面側の部分）に配置されていてもよい。
【００４８】
また、上述の実施形態では、鍔部４５及び当接部４６が、筒状部４１の全周にわたって設けられている場合について説明したが、これには限定されない。鍔部４５及び当接部４６は、筒状部４１の周囲の一部分のみに設けられていてもよい。
【００４９】
また、上述の実施形態では、筒状部４１の外周面のうち筒状部４１内の空洞を挟んで両側に位置する上面４１ａ及び下面４１ｂにそれぞれ設けられた固定爪４２及び可動爪４３について説明したが、固定爪４２及び可動爪４３が配置される面はこれには限定されない。すなわち、例えば、固定爪４２及び可動爪４３は、上面４１ａ、下面４１ｂ及び側面４１ｃの少なくともいずれかの面に設けられていればよく、左側の側面４１ｃと右側の側面４１ｃとにそれぞれ設けられてもよいし、上面４１ａと側面４１ｃとにそれぞれ設けられていてもよい。
【００５０】
さらに、上述の実施形態では、筒状部４１の外周面に２つの固定爪４２及び２つの可動爪４３が設けられている場合について説明したが、爪の個数はこれには限定されない。また、筒状部４１の外周面に環状の爪が１つ形成されていてもよい。
【００５１】
加えて、上述の実施形態では、固定爪４２が、筒状部４１の外周面における鍔部４５とのなす角が鋭角である上面４１ａに設けられており、可動爪４３が、鍔部４５とのなす角が鈍角である下面４１ｂに設けられている場合について説明したが、これには限定されない。すなわち、可動爪４３が上面４１ａに設けられており、固定爪４２が下面４１ｂに設けられていてもよい。また、全ての爪が固定爪４２であってもよいし、全ての爪が可動爪４３であってもよい。
【００５２】
また、上述の実施形態では、運搬用取手４は、樹脂等の可撓性を有する材料で形成されているが、金属で形成されたものであってもよい。
【００５３】
また、上述の実施の形態においては、ヒートポンプ式給湯機１に備えられた貯湯タンクユニット３に適用される運搬用取手４について説明したが、これには限定されない。本発明は、外装パネルに形成された取付口に取り付けられる運搬用取手一般に適用可能であり、例えば、空気調和機の室外機や給湯機のヒートポンプユニット等に適用してもよい。
【産業上の利用可能性】
【００５４】
本発明を利用すれば、外装パネルに対して強固に固定することができる。
【符号の説明】
【００５５】
４  運搬用取手
３２  外装パネル
３２ａ  取付口
４１  筒状部
４２  固定爪（係止部）
４３  可動爪（係止部）
４５  鍔部
４６  当接部
【図１】
2011158150.tif 000003
【図２】
2011158150.tif 000004
【図３】
2011158150.tif 000005
【図４】
2011158150.tif 000006
【図５】
2011158150.tif 000007
【図６】
2011158150.tif 000008
【図７】
2011158150.tif 000009
【図８】
2011158150.tif 000010
【図９】
2011158150.tif 000011
【図１０】
2011158150.tif 000012